(57)【要約】【課題】本発明は、起立した状態を維持できる鞄用把手を提供する。【解決手段】本発明の鞄用把手１は、鞄に回転可能に取り付けた平面視略コ字型の把手１であり、把手部２の回転とともに回転する係止部２５と、把手部２が起立した状態で前記係止部２５に係止する係合部３３とを備えたことを特徴とする。  このような構成とすることにより、係止部２５と係合部３３とが係止し、把手部２は起立した状態を維持することができる。【選択図】図５
2008284083.tif 000002
【特許請求の範囲】
【請求項１】
鞄に回転可能に取り付けた平面視略コ字型の把手であって、把手部の回転とともに回転する係止部と、把手部が起立した状態で前記係止部に係止する係合部とを備えた鞄用把手。
【請求項２】
把手部の端部に内側に突出する回転軸部を設け、この回転軸部の外周面に前記係止部を形成し、前記外周面に沿って形成した可撓性のある棹部の先端に前記係合部を形成した請求項１に記載の鞄用把手。
【請求項３】
前記係止部を凹状に形成し、前記係合部を凸状に形成した請求項１又は２に記載の鞄用把手。
【発明の詳細な説明】
【技術分野】
【０００１】
本発明は、スーツケース、アタッシュケースなどの鞄に取り付ける鞄用把手に関する。
【背景技術】
【０００２】
従来の鞄用把手としては、平面視略コ字型の把手の両端部を、鞄に回転可能に取り付けたものがある。このような把手は、鞄を床などに置き、手を離したときは、傾倒して倒れた状態になるものである（下記特許文献１の図１など参照）。
【０００３】
【特許文献１】特開２００５−１３７１６号公報
【発明の開示】
【発明が解決しようとする課題】
【０００４】
このように、上記把手は、普段は倒れており、使用するときに起立させて使用するものである。しかし、空港や駅などでは、鞄を持ち上げたり、降ろしたりする回数が多く、把手の使用頻度が多いため、普段は起立していた方が、すぐに鞄の持ち運びができて便利なことがある。
【０００５】
そこで、本発明の目的は、起立した状態を維持できる鞄用把手を提供することにある。
【課題を解決するための手段】
【０００６】
本発明の鞄用把手は、鞄に回転可能に取り付けた平面視略コ字型の把手であって、把手部の回転とともに回転する係止部と、把手部が起立した状態で前記係止部に係止する係合部とを備えたことを特徴とする。
【０００７】
このような構成とすることにより、把手部が起立した状態で、係止部に係合部が係止するため、把手部の起立状態を維持することができる。
【０００８】
上記鞄用把手は、把手部の端部に内側に突出する回転軸部を設け、この回転軸部の外周面に前記係止部を形成し、前記外周面に沿って形成した可撓性のある棹部の先端に前記係合部を形成した構成とすることができる。
【０００９】
このような構成とすることにより、係合部を設けた棹部は、可撓性があるため、把手部を起立させると係合部は係止部に係止して把手部の起立状態を維持することができ、この状態で把手部に力を加えると係合部は係止部から簡単に外れ、把手部を倒すことができる。
【００１０】
上記鞄用把手は、前記係止部を凹状に形成し、前記係合部を凸状に形成することができる。
【００１１】
このような構成とすることにより、凸状の係合部は凹状の係止部に係止し、把手の起立した状態を維持することができ、また、把手部を傾倒させるときも係合部と係止部との係止の解除を容易に行なうことができる。
【発明を実施するための最良の形態】
【００１２】
以下、本発明の一実施形態を、図面を用いて説明する。
図１は本発明の一実施形態の把手の部分切断平面図、図２は図１の把手の一端部側の分解斜視図、図３は図１の把手の構成部品である把手部の一端部側の拡大平面図である。
【００１３】
本発明の一実施形態の把手１は、把手部２と、爪部３と、台部４と、バネ部５とを主な構成として備えてなる。
【００１４】
把手部２は、図１に示すように、左右対称形状の平面視略コ字型であり、両端部に内側に突出した回転軸部２１が設けてあり、回転軸部２１を介して鞄に回転可能に取付けてある。
回転軸部２１は、図２又は３に示すように、基端部側から順に軸体部２２、ロック部２３、バネ固定部２４を略円柱乃至円盤状に形成してある。これらは同心円状に形成してあり、ロック部２３は軸体部２２よりも大径に、バネ固定部２４は軸体部２２よりも小径に形成してある。
【００１５】
ロック部２３は、外周面の一部を湾曲状に切り欠いて形成した凹状の係止部２５を形成してあり、係止部２５は、把手部２が起立した状態で側方に向く位置に形成してある。また、ロック部２３の面上には、円形状の孔部２６が形成してあり、バネ部５の一端部が挿し通せるようにしてある。
【００１６】
爪部３は、図２に示すように、略矩形体状の固定片３１とこの中央付近から上方に湾曲状に伸びる細長状の棹部３２とを備えており、棹部３２は、可撓性を有し、ロック部２３の外周面に沿うように形成してあり、この先端部には、内側に湾曲状に突出する凸状の係合部３３が形成してある。係合部３３は、把手部２が起立した状態で係止部２５に係止するように形成してある。
【００１７】
台部４は、図２に示すように、鞄に固定する略矩形体状の固定部４１の外端部側に、上方に突出し、上端を湾曲状に凹ました軸受部４２が形成してあり、軸受部４２は、軸体部２２と略同一の曲率で形成し、軸体部２２の外周面が接面して載せられるように形成してある。また、固定部４１の上面には、軸受部４２から適宜幅をおいて、上方に幅方向に沿い突出した突出片４３が形成してあり、軸受部４２と突出片４３との間隙に爪部３の固定片３１を固定できるようにしてある。
また、固定部４１の外端部側には、両側方に突出したカバー固定部４４が設けてあり、回転軸部２１を回転可能に被覆するカバー部６が嵌め合わせできるようにしてある。
【００１８】
バネ部５は、図２に示すように、ねじりコイルバネであり、一端部を、長さ方向に伸ばして孔部２６に挿し通し、他端部を、円周方向に伸ばしてカバー部６の裏面に接するように形成してあり、把手部２を傾倒する方向に付勢している。
【００１９】
以下、上記把手１の動作を説明する。
把手部２は、図４に示すように、普段はバネ部５に付勢されて倒れた状態にあり、係合部３３はロック部２３の外周面に接している。
把手部２を掴み、図４の矢印Ａ方向に持ち上げていくと、ロック部２３は把手部２とともに回転し、係合部３３は、ロック部２３の外周面上を摺れ、そして、係止部２５が係合部３３の位置まで回転してくると、図５に示すように、係止部２５に係止し、把手部２は、起立した状態を維持することができる。
【００２０】
この状態から把手部２を傾倒させたい場合は、図５に示すように、把手部２を、図５の矢印Ｂの方向に力を加えて押すことにより、係合部３３を形成してある棹部３２は可撓性を有するため外側方向に撓み、係合部３３が係止部２５から外れ、把手部２はバネ部５により付勢されているため傾倒し、図４に示すように、倒れた状態になる。
【００２１】
このように、本発明の鞄用把手は、係合部と係止部とが係止し、起立した状態を維持することができるものであり、鞄の利便性が向上するものである。
【００２２】
なお、上記実施形態の構成態様は、本発明を限定するものとして挙げたものではなく、技術目的を共通にするかぎり変更は可能であり、本発明はそのような変更を含むものである。
【図面の簡単な説明】
【００２３】
【図１】本発明の一実施形態の把手の部分切断平面図である。
【図２】図１に示した把手の一端部側の分解斜視図である。
【図３】図１に示した把手の構成部品である把手部の一端部側の拡大平面図である。
【図４】図１に示した把手の傾倒した状態を示した側面図である。
【図５】図１に示した把手の起立した状態を示した側面図である。
【符号の説明】
【００２４】
１把手
２把手部
２１回転軸部
２２軸体部
２３ロック部
２４バネ固定部
２５係止部
２６孔部
３爪部
３１固定片
３２棹部
３３係合部
４台部
４１固定部
４２軸受部
４３突出片
４４カバー固定部
５バネ部
６カバー部
【図１】
2008284083.tif 000003
【図２】
2008284083.tif 000004
【図３】
2008284083.tif 000005
【図４】
2008284083.tif 000006
【図５】
2008284083.tif 000007